(57)【特許請求の範囲】
【請求項１】
可撓性を有するシート状の基布の一表面に薬剤層が形成され、薬剤層の前記基布とは反対側に臨む一表面に、保護シートが剥離可能に貼着される外用貼付剤であって、
前記保護シートは、前記薬剤層の一表面に貼着される第１シート部分と、
第１シート部分の一側縁部に連なり、第１シート部分上に前記一側縁部とは反対側の他側縁部にわたって積重される第２シート部分と、
第２シート部分に連なる第３シート部分と、
一表面に粘着剤が塗布されている粘着部分と粘着剤が塗布されていない非粘着部分とを有する粘着テープＡと、
一表面に粘着層を有する粘着テープＢとを含み、
前記粘着テープＡの粘着部分を、基布の他表面の他端面寄りの位置に粘着し、非粘着部分を基布の一端面から他端面に折り返し、折り返された非粘着部分の一部および第３シート部分の一表面とは反対側の一表面を、前記粘着テープＢで粘着されることによって、基布と第３シート部分とが接合されてなることを特徴とする外用貼付剤。
【請求項２】
前記第２シート部分の基布とは反対側の一表面および第２シート部分の前記一表面に連なる第３シート部分の一表面には、補助シートが接合されることを特徴とする請求項１に記載の外用貼付剤。
【請求項３】
前記第１シート部分と第２シート部分との間には、潤滑剤が塗布されていることを特徴とする請求項１または２に記載の外用貼付剤。
【請求項４】
前記第３シート部分は、前記第２シート部分の基布とは反対側の一表面に接合されて連なることを特徴とする請求項１に記載の外用貼付剤。
【請求項５】
前記第３シート部分の前記第２シート部分とは反対側の一表面には、補助シートが接合されることを特徴とする請求項４に記載の外用貼付剤。
【請求項６】
前記第３シート部分には、手指を挿入することができる亀裂または孔が形成される指掛け部が設けられることを特徴とする請求項１〜５のいずれか１つに記載の外用貼付剤。
【発明の詳細な説明】
【技術分野】
【０００１】
本発明は、膏体に消炎成分、鎮痛成分および血行促進成分などが有効成分として配合されたパップ剤および硬膏剤等の外用貼付剤に関し、さらに詳しくは、自己の身体の任意の部位に容易に貼ることのできる、外用貼付剤に関する。
【背景技術】
【０００２】
近年、高齢化やパソコンを用いたデスクワーク等によって生じる腰痛、関節痛、肩こり等の対症療法として、各種パップ剤等の外用貼付剤が広く利用されている。
【０００３】
図１４Ａおよび図１４Ｂは典型的な従来技術の外用貼付剤１を示す断面図であり、図１４Ａは、薬剤層２の一部を身体３の患部に貼付した状態を示し、図１４Ｂは、保護シートを剥離する途中の状態を示す。
【０００４】
従来の外用貼付剤１は、シート状の基布４の一表面に薬剤層２が形成され、薬剤層２の前記基布４とは反対側の表面に薬剤層２を保護する２枚の保護シート５，６が剥離可能に貼着される。２枚の保護シート５，６のうち、一方の保護シート（下側保護シート）５は、中央部で折り曲げられて薬剤層２に貼着され、他方の保護シート（上側保護シート）６は、下側保護シート５の折り曲げられた部分にその一端部が積重するように薬剤層２に貼着される。
【０００５】
このような従来の外用貼付剤１は、まず上側保護シート６の積重部分６ａを手指で把持して薬剤層２から剥離することによって、薬剤層２の一部を露出させ、下側保護シート５を手指で把持して身体３の患部に貼り付けたのち、図１４Ｂに示すように、下側保護シート５の非粘着部分５ａを手指で把持して薬剤層２から剥離し、露出した薬剤層２を身体３の患部に貼り付ける。このようにして身体３に貼り付けることのできる外用貼付剤は、例えば特許文献１に記載されている。
【０００６】
図１５は他の従来技術の外用貼付剤１０を示す斜視図であり、図１６Ａおよび図１６Ｂは図１５に示す他の従来技術の外用貼付剤１０の貼り方を示す図である。他の従来技術の外用貼付剤１０では、保護シート１１は切れ目部１２によってシート部分１１ａとシート部分１１ｂとに分割可能に構成されている。図１６Ａに示すように、保護シート１１をシート部分１１ａ，１１ｂに分割するに際しては、まずシート部分１１ａ，１１ｂを個別に手指で把持して、左右に引っ張りシート部分１１ａ，１１ｂに分離する。次に、図１６Ｂに示すように、切れ目部１２によって分離された各シート部分１１ａ，１１ｂを手指で把持して左右に引っ張り、外用貼付剤１０の薬剤層１３を露出させ、身体１４の表面に貼付する。そして、各シート部分１１ａ，１１ｂをさらに薬剤層１３から剥離して、薬剤層１３を露出させ、露出した薬剤層１３を身体１４の表面に貼付することのできる外用貼付剤１０が提案されている。このようにして身体１４に貼り付けることのできる外用貼付剤１０は、例えば特許文献２に記載されている。
【先行技術文献】
【特許文献】
【０００７】
【特許文献１】特開２００７−１７５３００号公報
【特許文献２】特開２００６−３２０７４５号公報
【発明の概要】
【発明が解決しようとする課題】
【０００８】
前述の特許文献１および２の従来技術では、保護シートの一部を薬剤層から剥離した後に、薬剤層を露出させた状態で身体の患部まで移動させて貼付する必要があるので、患部に移動させる途中で薬剤層同士が貼着したり、身体の所望の部位とは異なる身体の部位に誤って付着してしまう場合があり、容易かつ確実に身体の所望の部位に外用貼付剤を貼付することができないという問題がある。
【０００９】
また、自分で外用貼付剤を貼付する際に、貼付しようとする身体の部位によっては、露出した薬剤層が衣服に貼着することを防ぐために衣服を脱いだり、他者に貼付してもらう必要があり、一人で任意の位置に貼付できないという問題がある。
【００１０】
本発明の目的は、外用貼付剤の使用者本人が容易に任意の部位に貼付することができる外用貼付剤を提供することである。
【課題を解決するための手段】
【００１１】
本発明は、可撓性を有するシート状の基布の一表面に薬剤層が形成され、薬剤層の前記基布とは反対側に臨む一表面に、保護シートが剥離可能に貼着される外用貼付剤であって、
前記保護シートは、前記薬剤層の一表面に貼着される第１シート部分と、
第１シート部分の一側縁部に連なり、第１シート部分上に前記一側縁部とは反対側の他側縁部にわたって積重される第２シート部分と、
第２シート部分に連なる第３シート部分と、
一表面に粘着剤が塗布されている粘着部分と粘着剤が塗布されていない非粘着部分とを有する粘着テープＡと、
一表面に粘着層を有する粘着テープＢとを含み、
前記粘着テープＡの粘着部分を、基布の他表面の他端面寄りの位置に粘着し、非粘着部分を基布の一端面から他端面に折り返し、折り返された非粘着部分の一部および第３シート部分の一表面とは反対側の一表面を、前記粘着テープＢで粘着されることによって、基布と第３シート部分とが接合されてなることを特徴とする外用貼付剤である。
【００１２】
また本発明は、前記第２シート部分の基布とは反対側の一表面および第２シート部分の前記一表面に連なる第３シート部分の一表面には、補助シートが接合されることを特徴とする。
【００１３】
また本発明は、前記第１シート部分と第２シート部分との間には、潤滑剤が塗布されていることを特徴とする。
【００１４】
また本発明は、前記第３シート部分は、前記第２シート部分の基布とは反対側の一表面に接合されることを特徴とする。
【００１５】
また本発明は、前記第３シート部分の前記第２シート部分とは反対側の一表面には、補助シートが接合されることを特徴とする。
【００１６】
また本発明は、前記第３シート部分には、手指を挿入することができる亀裂または孔が形成される指掛け部が設けられることを特徴とする。
【発明の効果】
【００１７】
本発明によれば、保護シートは、前記薬剤層の一表面に貼着される第１シート部分を有するので、前記薬剤層の一表面に形成される貼着面を露出させないように覆うことができる。
【００１８】
また、一表面に粘着剤が塗布されている粘着部分と粘着剤が塗布されていない非粘着部分とを有する粘着テープＡおよび一表面に粘着層を有する粘着テープＢを用いて、粘着テープＡの粘着部分を他表面の他端面寄りの位置に粘着し、非粘着部分を基布の一端面から他端面に折り返し、折り返された非粘着部分の一部および第３シート部分の一表面とは反対側の一表面を、粘着テープＢで粘着するので、第３シート部分または剥離シートを剥離方向Ａに引張るだけで、粘着テープが基布の他表面から剥離する。したがって、保護シートの第１シート部分と第２シート部分とがずれたりすることや、第１シート部分が薬剤層から不所望に剥離するのを防ぐことができるとともに、剥離シートを剥離方向Ａに引張るだけで、貼付け可能な状態にすることができる。
【００１９】
このように薬剤層が露出していない状態で身体に押し付けても、第１シート部分を薬剤層から剥離することができるので、第３シート部分を引っ張ることによって、第１シート部分を薬剤層から剥離させて、薬剤層を露出させ、身体に貼付することができる。したがって、患部に移動させる途中で薬剤層同士が貼着したり、衣服に貼着することを防ぐことができ、外用貼付剤の使用者が衣服を着たままで所望の貼付け部位に容易に貼り付けることができる。
【００２０】
また本発明によれば、第２シート部分の基布とは反対側の一表面および第２シート部分の前記一表面に連なる第３シート部分の一表面に接合される補助シートが接合されることによって、外用貼付剤の使用者が発汗している場合や、使用者が脂性の場合であっても、保護シートが汗等によって肌に密着し、剥離しにくくなることを防ぐことができる。したがって、季節や体質などを問わず、常に外用貼付剤の使用者が所望の貼付け部位に自分で容易に貼り付けることができる。
【００２１】
また本発明によれば、前記第１シート部分と第２シート部分との間には、潤滑剤が塗布されているので、両シート間に生じる摩擦力を低減することができる。これによって、基布を身体に対して押圧した状態でも、小さな引っ張り力で保護シートを薬剤層から剥離することができる。
【００２２】
また本発明によれば、第３シート部分は、第２シート部分の基布とは反対側の一表面に接合されているので、第３シート部分を手指で把持して、引っ張ることで、引張り力を第３シート部分から第２シート部分に確実に伝えることができ、第２シート部分から当該第２シート部分が連なる第１シート部分の一側縁部に薬剤層から離反する方向の分力を作用させて第１シート部分を薬剤層から剥離し、容易に薬剤層を露出させて身体に貼付することができる。
【００２３】
また本発明によれば、第３シート部分の第２シート部分とは反対側の一表面に補助シートが接合されているので、外用貼付剤の使用者が発汗している場合や、使用者が脂性の場合であっても、保護シートが汗等によって肌に密着し、剥離しにくくなることを防ぐことができる。したがって、季節や体質などを問わず、常に外用貼付剤の使用者が所望の貼付け部位に自分で容易に貼り付けることができる。
【００２４】
また本発明によれば、前記第３シート部分には、手指を挿入することができる亀裂または孔が形成される指掛け部が設けられるので、手指を指掛け部に挿入して第３シート部分を剥離方向に引っ張ることができる。このように引っ張ることができるので、使用者は保護シートを容易に薬剤層から剥離することができる。
【図面の簡単な説明】
【００２５】
本発明の目的、特色、および利点は、下記の詳細な説明と図面とからより明確になるであろう。
【図１】本発明の一実施形態である外用貼付剤２０において、粘着テープＡと粘着テープＢによる基布と第３シート部分との粘着部の図示が省略された貼付剤の断面図である。
【図２】本実施形態の外用貼付剤２０において、粘着テープＡと粘着テープＢによる基布と第３シート部分との粘着部の図示が省略された貼付剤の斜視図である。
【図３】本発明の参考形態である外用貼付剤１３０の断面図である。
【図４Ａ】外用貼付剤２０を貼付する状態を表した図である。
【図４Ｂ】外用貼付剤２０を貼付する状態を表した図である。
【図５】本発明の他の実施形態である外用貼付剤５０の斜視図である。
【図６】本発明の他の実施形態である外用貼付剤６０の斜視図である。
【図７】本発明の他の実施形態である外用貼付剤７０の斜視図である。
【図８】本発明の他の実施形態である外用貼付剤８０において、粘着テープＡと粘着テープＢによる基布と剥離シートとの粘着部の図示が省略された貼付剤の断面図である。
【図９】本発明の他の実施形態である外用貼付剤９０において、粘着テープＡと粘着テープＢによる基布と剥離シートとの粘着部の図示が省略された貼付剤の断面図である。
【図１０Ａ】本発明における外用貼付剤の形状を表す平面図である。
【図１０Ｂ】本発明における外用貼付剤の形状を表す平面図である。
【図１０Ｃ】本発明における外用貼付剤の形状を表す平面図である。
【図１０Ｄ】本発明における外用貼付剤の形状を表す平面図である。
【図１０Ｅ】本発明における外用貼付剤の形状を表す平面図である。
【図１０Ｆ】本発明における外用貼付剤の形状を表す平面図である。
【図１１Ａ】本発明の他の実施形態である外用貼付剤１００の斜視図である。
【図１１Ｂ】本発明の他の実施形態である外用貼付剤１００の斜視図である。
【図１１Ｃ】本発明の他の実施形態である外用貼付剤１００の斜視図である。
【図１２】本発明の他の実施形態である外用貼付剤１１０において、粘着テープＡと粘着テープＢによる基布と剥離シートとの粘着部の図示が省略された貼付剤の断面図である。
【図１３】本発明の他の実施形態である外用貼付剤１２０において、粘着テープＡと粘着テープＢによる基布と剥離シートとの粘着部の図示が省略された貼付剤の断面図である。
【図１４Ａ】典型的な従来技術の外用貼付剤１を示す断面図である。
【図１４Ｂ】典型的な従来技術の外用貼付剤１を示す断面図である。
【図１５】他の従来技術の外用貼付剤１０を示す斜視図である。
【図１６Ａ】図１５に示す他の従来技術の外用貼付剤１０の貼り方を示す図である。
【図１６Ｂ】図１５に示す他の従来技術の外用貼付剤１０の貼り方を示す図である。
【発明を実施するための形態】
【００２６】
以下図面を参考にして本発明の好適な実施形態を詳細に説明する。
図１は本発明の一実施形態である外用貼付剤２０において、粘着テープＡと粘着テープＢによる基布と第３シート部分との粘着部の図示が省略された貼付剤の断面図であり、図２の切断面線Ｉ−Ｉから見た断面を示す。また図２は本実施形態の外用貼付剤２０の斜視図である。なお、図１は図解を容易にするため、外用貼付剤２０を厚み方向に拡大して示している。また、図２は図解を容易にするため、基布２１、保護シート２４、補助シート２５および接合剤層２６を分離した状態で示している。
【００２７】
本実施形態の外用貼付剤２０は、基布２１と、基布２１の一表面２１ａに塗布される薬剤層２２と、薬剤層２２に剥離可能に貼着される剥離シート２３とを含む。外用貼付剤２０は可撓性を有しており、外用貼付剤２０を構成する各部材も可撓性を有する材質から構成される。
【００２８】
前記剥離シート２３は、薬剤層２２の外部に露出する一表面２２ａに貼着される保護シート２４と、保護シート２４に接合される補助シート２５と、保護シート２４と補助シート２５とを接合する接合剤層２６とを含む。以下では、前記薬剤層２２の外部に露出する一表面２２ａを貼着側表面２２ａということもある。
【００２９】
前記基布２１は、短辺の長さＬ１０が１０ｃｍ、長辺の長さＬ１が１４ｃｍ、厚みＴ１が１．２ｍｍの矩形であり、通気性および伸縮性を有する不織布から形成される。基布２１の厚み方向の一表面２１ａには、薬剤層２２が塗布され、厚み方向の他表面２１ｂは不織布が露出した状態に形成される。他表面２１ｂは、外用貼付剤２０を身体２７に貼付する際に手指を接触させて押圧する側の表面である。
【００３０】
基布２１の材質は、身体２７に貼付された場合に蒸れるのを防止するために通気性を有し、身体２７の動きに合わせて伸縮できる材質に限定されることはなく、たとえば不織布に代えて伸縮布や織布、編布、ビニール等を用いてもよい。
【００３１】
前記薬剤層２２は、基布２１の一表面２１ａに形成される粘着層であり、外用貼付剤２０が身体２７に貼付される際に身体２７と直接接触する面である、貼着側表面２２ａを含む。薬剤層２２は、厚みＴ２が１ｍｍに形成される。薬剤層２２は、基布２１の一表面２１ａのほぼ全面に薬剤を展着して薬剤層２２を形成した後、薬剤層２２の基布２１とは反対側に臨む一表面である、貼着側表面２２ａに後述する保護シート２４を貼着させて得られた積層物としての外用貼付剤２０の原反を、長方形などの角形状等に裁断して形成される。したがって、薬剤層２２の形状は、基布２１の形状と同形状に形成される。
【００３２】
薬剤層２２は、有効成分である薬物や湿潤剤、増粘剤、などを含み、たとえば薬物の材質としては、サリチル酸メチル、サリチル酸グリコール等が挙げられ、潤滑剤の材質としては、グリセリン、プロピレングリコール等が挙げられ、増粘剤の材質としては、グァーガム、カラギーナン、アルギン酸ナトリウム等が挙げられる。
【００３３】
薬剤層２２は、皮膚密着性がよく、有効成分の皮膚透過吸収性を高め、水分を可塑的に多く含有しており、常温やその周囲の温度でもだれず、剥がす際に痛くなく、粘着層が皮膚に残らず、べたつかないものであればよく、その用途によって公知の薬物や潤滑剤、増粘剤などを適宜添加することができる。
【００３４】
前記保護シート２４は、前記薬剤層２２の貼着側表面２２ａに貼着される第１シート部分２８と、第１シート部分２８の一側縁部２８ａに連なり、第１シート部分２８上に前記一側縁部２８ａとは反対側の他側縁部２８ｂにわたって積重される第２シート部分２９と、第２シート部分２９に連なる第３シート部分３０とを含むシート状部材であり、プラスチックの弾性および復元性を利用する関係上薄く成型されたプラスチックフィルムが用いられる。保護シート２４の厚みＴ３は、特に限定されることはないが、たとえば厚みＴ３は、０．０１ｍｍ〜０．０４ｍｍの範囲内がよく、本実施形態では、厚みＴ３が０．０２ｍｍに形成される。
【００３５】
第１シート部分２８は、薬剤層２２の貼着側表面２２ａに貼着される保護シート２４の一部分である。第１シート部分２８は、薬剤層２２の貼着側表面２２ａを覆うように形成される。第１シート部分２８が貼着側表面２２ａを被覆しているので、身体２７の任意の位置に外用貼付剤２０を配置するまでは貼着側表面２２ａを露出させないようにすることができる。これによって、薬剤層２２が乾燥するのを抑制することができるので、外用貼付剤２０を長期間にわたって使用可能な状態を維持することができる。第１シート部分２８の一側縁部２８ａから他側縁部２８ｂまでの長さは、基布２１の長辺の長さＬ１と同じ長さに形成される。
【００３６】
第２シート部分２９は、保護シート２４の一部分であり、反転部３１と積重部分３２とを含む。反転部３１は、一側縁部３１ａにおいて第１シート部分２８の一側縁部２８ａと連なり、他側縁部３１ｂにおいて積重部分３２の一側縁部３２ａと連なる。積重部分３２は、一側縁部３２ａにおいて反転部３１の他側縁部３１ｂと連なり、他側縁部３２ｂにおいて第３シート部分３０の一側縁部３０ａと連なる。
【００３７】
反転部３１は、積重部分３２の一側縁部３２ａから第１シート部分２８の一側縁部２８ａに向かって、１８０度反転して形成される。反転部３１は、基布２１の第１シート部分２８の一側縁部２８ａ側の一端面３３から突出して形成される。反転部３１の一端面３３から最も離反する部分までの距離ΔＬは、２ｍｍである。積重部分３２は、第１シート部分２８と平行に形成され、第１シート部分２８と同じ長さに形成される。
【００３８】
第３シート部分３０は、一側縁部３０ａにおいて積重部分３２の他側縁部３２ｂと連なり、他側縁部３０ｂは、遊端状に形成される。以下では他側縁部３０ｂを遊端部３０ｂと呼ぶこともある。第３シート部分３０には、指掛け部３５が設けられる。
【００３９】
第３シート部分３０は、長辺方向Ｘにおいて基布２１の前記一端面３３と反対側の他端面３４から突出して形成される。第３シート部分３０は、保護シート２４を薬剤層２２から剥離する際に、手指で把持する部分であるので、手指で把持することのできる長さに形成される。具体的には、手指で掴んだ際の操作性、すなわち手指で掴んで薬剤層２２から第１シート部分２８を剥離するのに要する引張り力で引っ張っても、把持した手指の間から滑り抜けないようにしっかりと把持することができる程度の掴み代を考慮して、第３シート部分３０の長さＬ２は、基布２１の長さＬ１の０．３倍〜０．７倍の長さに形成され、具体的には４０ｍｍ〜１００ｍｍの長さに形成される。
【００４０】
長さＬ２が４０ｍｍ未満の場合には、後述する指挿入孔３６を十分な大きさに形成することができない。また、長さＬ２が１００ｍｍを越える場合には、指挿入孔３６に指を挿入して引っ張ると第３シート部分３０にしわが生じ、薬剤層２２同士が貼着してしまう。またＬ２が長すぎる場合には、材料が無駄になりコストが高くなってしまうという問題が生じる。
【００４１】
第３シート部分３０には、紙、布、不織布、またはプラスチックフィルム等からなる補強材を第３シート部分３０に積層して設けてもよい。補強材を設けることによって、指掛け部３５の強度を向上させることができるので、第３シート部分３０を補強材と共に強く引っ張った場合であっても、第３シート部分３０が破れることを防ぐことができる。また引張り力を調整する必要がないので、操作性も向上させることができる。補強材は、両面粘着テープや接着剤、高周波等を用いて第３シート部分の表面に粘着、接着、溶着することによって形成される。前記補強材は、第３シート部分３０の全面にわたって形成してもよく、第３シート部分３０が長く形成される場合には、長辺方向Ｘにおいて遊端部３０ｂから一側縁部３０ａに向かって４０ｍｍ程度の範囲に形成してもよい。また、指挿入孔３６の周辺部である指掛け部３５のみに設けてもよい。このように補強材を設けることによって、指挿入孔３６に指を挿入して第３シート部分３０を引っ張る際に、指挿入孔３６から第３シート部分３０が破れることを防ぐことができる。
【００４２】
指掛け部３５は、指挿入孔３６を含んで形成される。指挿入孔３６は保護シート２４を薬剤層２２から剥離する際に、指を挿入するための孔である。指挿入孔３６が形成されることによって、手に障害があり第３シート部分３０を掴んだり、摘んだりすることができない人であっても、指挿入孔３６に指を挿入することによって第３シート部分３０を剥離方向Ａに引っ張ることができる。また、健常者であっても指挿入孔３６が形成されることによって、保護シート２４を薬剤層２２からより容易に剥離することができる。
【００４３】
本実施形態において、指挿入孔３６は円状に形成され、その内径Ｄは２０ｍｍである。指挿入孔３６は、保護シート２４、後述する接合剤層２６および補助シート２５を貫通して形成される。指挿入孔３６は、遊端部３０ｂから指挿入孔３６の遊端部３０ｂ側の端部までの長さＬ３が１０ｍｍとなる位置に設けられる。
【００４４】
本実施形態では、指挿入孔３６の形状は円状であるが、指挿入孔３６の形状は指を挿入することができる形状であればその他の形状であってもよく、たとえば楕円状であってもよい。また、本実施形態では指挿入孔３６は１つのみ形成されるが、複数個形成されてもよい。このようにすることによって複数本の指を挿入して第３シート部分３０を長辺方向Ｘに沿う剥離方向Ａに引っ張ることができるので、より容易に保護シート２４を薬剤層２２から剥離することができる。また、指掛け部３５は指挿入孔３６にかえて、指を引掛けることのできる亀裂を設ける構成としてもよい。
【００４５】
このように保護シート２４が形成されることによって、第３シート部分３０を剥離方向Ａに引っ張ると引張り力Ｆ２が第２シート部分２９の積重部分３２を介して、反転部３１に伝わる。反転部３１が、積重部分３２の一側縁部３２ａから第１シート部分２８の一側縁部２８ａに向かって、１８０度反転して形成されるので、反転部３１で薬剤層２２から第１シート部分２８を剥離する方向に引張り力Ｆ２の分力が発生する。したがって、第３シート部分３０を剥離方向Ａに引っ張ることで、第１シート部分２８を薬剤層２２から剥離することができる。
【００４６】
また、このように薬剤層２２から保護シート２４を剥離することができるので、基布２１の他表面２１ｂを手指で身体２７に対して押圧し、押圧力Ｆ１を加えた状態であっても、保護シート２４を剥離することができる。これによって、外用貼付剤２０を薬剤層２２が露出していない状態で身体２７に押し付けても、第３シート部分３０を引っ張ることで、薬剤層２２を露出させ、身体２７に貼付することができる。したがって、外用貼付剤２０を患部に移動させる途中で、薬剤層２２同士が貼着したり、衣服に貼着することを防ぐことができ、外用貼付剤２０の使用者本人が所望の部位に容易に貼り付けることができる。
【００４７】
前記接合剤層２６は、第２シート部分２９の基布２１とは反対側の一表面３７および第２シート部分２９の前記一表面３７に連なる第３シート部分の一表面３８と後述する補助シート２５との間に設けられる接着剤が塗布された層である。接合剤層２６の厚みＴ４は特に限定されることはないが、たとえば０．１ｍｍ〜１．０ｍｍの間の厚さに形成される。
【００４８】
接着剤としては、公知のあらゆる接着剤を用いることができる。また接合剤層２６は、接着剤を塗布して形成されたものに限らず、両面に粘着剤層を有するテープ等を用いて形成してもよい。
【００４９】
前記補助シート２５は、身体２７の貼付面３９に当接される第４シート部分４０と、第４シート部分４０の一側縁部４０ａに連なり、第４シート部分４０上に前記一側縁部４０ａとは反対側の他側縁部４０ｂにわたって積重される第５シート部分４１と、第５シート部分４１に連なる第６シート部分４２とを含むシート状部材から形成される。
【００５０】
補助シート２５には、前記保護シート２４と同様に、プラスチックの弾性および復元性を利用する関係上薄く成型されたプラスチックフィルムが用いられる。補助シート２５の厚みＴ５は、特に限定されることはないが、たとえば厚みＴ５は、０．０１ｍｍ〜０．０４ｍｍの範囲内がよく、本実施形態では、厚みＴ５が０．０２ｍｍに形成される。このような補助シート２５が設けられることによって、外用貼付剤２０の使用者が発汗している場合や、使用者が脂性の場合であっても、保護シート２４が汗等によって肌に密着し剥離しにくくなることを防ぐことができる。したがって、外用貼付剤２０を季節や体質などを問わず、常に外用貼付剤２０の使用者が所望の部位に容易に貼り付けることができる。
【００５１】
第４シート部分４０は、身体２７の貼付面３９に当接される補助シート２５の一部分である。第４シート部分４０は基布２１の長辺Ｌ１と同じ長さに形成される。
【００５２】
第５シート部分４１は、補助シート２５の一部分であり、反転部４３と積重部分４４とを含む。反転部４３は、一側縁部４３ａにおいて第４シート部分４０の一側縁部４０ａと連なり、他側縁部４３ｂにおいて積重部分４４の一側縁部４４ａと連なる。積重部分４４は、一側縁部４４ａにおいて反転部４３の他側縁部４３ｂと連なり、他側縁部４４ｂにおいて第６シート部分４２の一側縁部４２ａと連なる。
【００５３】
反転部４３は、積重部分４４の一側縁部４４ａから第４シート部分４０の一側縁部４０ａに向かって、１８０度反転して形成される。反転部４３は、基布２１の第４シート部分４０の一側縁部４０ａ側の一端面３３から突出して形成される。積重部分４４は、第４シート部分４０と平行に形成され、第４シート部分４０と同じ長さに形成される。
【００５４】
第６シート部分４２は、一側縁部４２ａにおいて積重部分４４の他側縁部４４ｂと連なり、他側縁部４２ｂは、遊端状に形成される。以下では、前記他側縁部４２ｂを遊端部４２ｂと呼ぶこともある。第６シート部分４２は、長辺方向Ｘにおいて基布２１の前記一端面３３の反対側の他端面３４から突出して形成される。第６シート部分４２は、保護シート２４を薬剤層２２から剥離する際に、手指で把持する部分であるので、手指で把持することのできる長さに形成される。具体的には、第３シート部分３０の長さＬ３と同じ長さに形成される。
【００５５】
このように補助シート２５が形成されることによって、第６シート部分４２を剥離方向Ａに引っ張ると引張り力Ｆ２が第５シート部分４１の積重部分４４を介して、反転部４３に伝わる。反転部４３が、積重部分４４の一側縁部４４ａから第４シート部分４０の一側縁部４０ａに向かって、１８０度反転して形成されるので、反転部４３で身体２７の貼付面３９から第４シート部分４０を剥離する方向に引張り力Ｆ２の分力が発生する。したがって、第６シート部分４２を剥離方向Ａに引っ張ることで、第４シート部分４０を貼付面３９から剥離することができる。
【００５６】
補助シート２５の第５シート部分４１の第４シート部分４０とは反対側の一表面４５、および第５シート部分４１の前記一表面４５に連なる第６シート部分の一表面４６とは、前記接合剤層２６を介して保護シート２４の第２シート部分２９の基布２１とは反対側の一表面３７および第２シート部分２９の前記一表面３７に連なる第３シート部分３０の一表面３８と接合される部分である。
【００５７】
本実施形態において、補助シート２５は接合剤層２６を挟んで保護シート２４と対称に形成されるが、このような形状に限定されることはなく、たとえば本実施形態における第５シート部分４１の積重部分４４および第６シート部分４２のみを有するシート状部材であってもよい。このような場合、補助シート２５の材質は、プラスチックフィルム以外でもよく、たとえば吸液性を有する紙や布等であってもよい。補助シート２５をこのような構成とすることより、外用貼付剤２０の使用者が発汗している場合や、使用者が脂性の場合であっても、補助シート２５は、汗や脂などを吸収するので、保護シート２４が汗等によって肌に密着し剥離しにくくなることを防ぐことができる。したがって、外用貼付剤２０を季節や体質などを問わず、常に外用貼付剤２０の使用者が所望の部位に容易に貼り付けることができる。
【００５８】
また、本実施形態において反転部３１の一端面３３から最も離反する部分までの距離と反転部４３の一端面３３から最も離反する部分までの距離は共に距離ΔＬに形成されるが、このような形態に限らず、たとえば反転部４３の一端面３３から最も離反する部分までの距離は、反転部３１の一端面３３から最も離反する部分までの距離よりも短くてもよい。換言すれば、補助シート２５の反転部４３は、保護シート２４の反転部３１よりも、一端面３３から突出しないように形成してもよい。このように形成することによって、使用者の操作の不手際等によって保護シート２４が薬剤層２２から剥離された場合であっても、薬剤層２２が補助シート２５の反転部４３に粘着してしまうことを防ぐことができ、所望の部位に貼り付ける行為に支障をきたすことを防止することができる。
【００５９】
本実施形態において、保護シート２４の第１シート部分２８と第２シート部分２９との間には潤滑剤５１が塗布される。このように前記第１シート部分２８と第２シート部分２９との間には、潤滑剤５１が塗布されているので、両シート間に生じる摩擦力を低減することができる。これによって、基布２１を身体２７に対して押圧した状態でも、小さな引張り力で保護シート２４を薬剤層２２から剥離することができる。
【００６０】
また、本実施形態において、補助シート２５の第４シート部分４０と第５シート部分４１との間には潤滑剤５１が塗布される。このように第４シート部分４０と第５シート部分４１との間には、潤滑剤５１が塗布されているので、両シート間に生じる摩擦力を低減することができる。これによって、基布２１を身体２７に対して押圧した状態でも、小さな引張り力で補助シート２５を保護シート２４と共に薬剤層２２と身体２７との間から剥離することができる。
【００６１】
潤滑剤５１としては、潤滑性だけでなく、粘着性を有するシリコンオイルや合成油、鉱物油などを用いることができる。このように潤滑剤５１が、潤滑性だけでなく粘着性を有することによって、保護シート２４の第１シート部分２８および第２シート部分２９ならびに補助シート２５の第４シート部分４０および第５シート部分４１とがばらけるのを防ぐことができる。これによって、外用貼付剤２０をコンパクト化することができるので、梱包性および操作性を向上させることができる。
【００６２】
本実施形態において、一表面に粘着層を有する粘着テープを、基布２１の他表面２１ｂと第３シート部分３０の一表面３８とは反対側の一表面とにわたって、粘着してもよい。このように粘着テープを粘着することによって、保護シート２４の第１シート部分２８と第２シート部分２９とがずれたりすることや、第１シート部分２８が薬剤層２２から不所望に剥離することを防ぐことができる。
【００６３】
また、一表面に粘着剤が塗布されている粘着部分と粘着剤が塗布されていない非粘着部分とを有する粘着テープ（以下、粘着テープＡということもある）および一表面に粘着層を有する粘着テープ（以下、粘着テープＢということもある）を用いて、保護シート２４の第１シート部分２８と第２シート部分２９とがずれたりすることや、第１シート部分２８が薬剤層２２から不所望に剥離することを防ぐためには、粘着テープＡの粘着部分を他表面２１ｂの他端面３４寄りの位置に粘着し、非粘着部分を基布２１の一端面３３から他端面３４に折り返し、折り返された非粘着部分の一部および第３シート部分３０の一表面３８とは反対側の一表面を、粘着テープＢで粘着する。このように形成することによって、剥離シート２３を剥離方向Ａに引張るだけで、粘着テープが基布２１の他表面２１ｂから剥離する。したがって、保護シート２４の第１シート部分２８と第２シート部分２９とがずれたりすることや、第１シート部分２８が薬剤層２２から不所望に剥離するのを防ぐことができるとともに、剥離シート２３を剥離方向Ａに引張るだけで、貼付け可能な状態にすることができる。
【００６４】
また、保護シート２４だけでなく補助シート２５も同様の構成によって粘着してもよく、この場合には、第４シート部分４０の貼付面３９が基布２１の他表面２１ｂに該当し、第６シート部分４２が第３シート部分３０に該当する。このように、補助シート２５を粘着テープで粘着することによって、補助シート２５の各シート部分が剥離したり、ずれたりすることを防ぐことができるとともに、剥離シート２３を剥離方向Ａに引張るだけで、貼付け可能な状態にすることができる。
【００６５】
図３は、本発明の参考形態である外用貼付剤１３０の断面図である。なお、本参考形態における外用貼付剤１３０は、第１の実施形態に係る外用貼付剤２０と略同一に構成されているので、対応する部分についてはそれぞれ同一の参照符を付し、重複する説明を省略する場合がある。
【００６６】
以下では、第１シート部分２８の基布２１の他端面３４側の端面を端面１３１とし、長辺方向Ｘにおいて基布２１の他端面３４から基布２１の一端面３３に向かう方向を方向Ｂとする。また、第１シート部分２８の表面のうち、第１シート部分２８の薬剤層２２の一表面２２ａに貼着される表面を一表面１３２とし、厚み方向において一表面１３２と反対側の表面を他表面１３３とする。
【００６７】
本参考形態では、図３に示すように、第１シート部分２８の他側縁部２８ｂを１８０度反転させて折り返し、保護シート２４の第１シート部分２８と第２シート部分２９との間に挟み込む。より具体的には、長辺方向Ｘにおいて端面１３１から方向Ｂに向かって所定の距離Ｌ４だけ離れた箇所を基準として、他表面１３３同士が対向して接触するように折り返す。すなわち、一表面１３２の一部１３２ａと第２シート部分２９の基布２１側の表面である他表面１３４とが対向する。他表面１３４は、厚み方向において第２シート部分２９の一表面３７とは反対側の表面である。距離Ｌ４は、３ｍｍ〜１５ｍｍの範囲内がよく、本参考形態では８ｍｍに選ばれる。また、折り返された状態で第２シート部分２９の他表面１３４と他表面１３４に対向する一表面１３２の一部１３２ａとの間には、粘着性を有する粘着剤からなる粘着剤層１３５が形成され、両表面１３２ａ，１３４が対向した状態で粘着される。
【００６８】
このような構成を採用することによって、保護シート２４の第１シート部分２８と第２シート部分２９との間には、一表面に粘着層を有する粘着テープを折り返したものを挟んだ場合と同様に、第１シート部分２８と第２シート部分２９とが不所望にずれたり、剥離したりするのを防ぐことができる。
【００６９】
本参考形態では、補助シートを含まない構成としているが、本発明のさらに他の参考形態では、外用貼付剤２０と同様に補助シートを含む構成としてもよい。また、本実施形態では、粘着性を有する粘着剤からなる粘着剤層１３５によって両表面１３２ａ，１３４が対向した状態で粘着されているが、たとえば粘着剤層１３５に代えて、両表面に粘着層を有する両面粘着テープを用いて両表面１３２ａ，１３４が対向した状態で粘着するように構成されてもよい。
【００７０】
次に図４Ａおよび図４Ｂを用いて、外用貼付剤２０の貼り方について説明する。図４Ａおよび図４Ｂは、外用貼付剤２０を貼付する状態を表した図である。図４Ａは、背部に外用貼付剤２０を貼付する状態を表し、図４Ｂは、殿部に外用貼付剤２０を貼付する状態を表す図である。
【００７１】
図４Ａに示すように、たとえば両肩甲部の間の背部のように手が届きにくい場所であっても、一方の手４７で基布２１を任意の部位に押圧し、他方の手４８で基布２１から突出して形成される第３シート部分３０および第６シート部分４２を下方、すなわち長辺方向Ｘに沿う剥離方向Ａに向かって引っ張ることで保護シート２４を薬剤層２２から剥離し、薬剤層２２を任意の部位に貼着することができる。したがって、外用貼付剤２０を患部に移動させる途中で薬剤層同士が貼着することなく、外用貼付剤２０の使用者本人が所望の部位に容易に貼り付けることができる。
【００７２】
また外用添付剤２０は、自己の身体の任意の部位に、自己の一方の手で押圧した状態とし、他方の手によって薬剤層２２から保護シート２４を剥離できるので、図４Ｂに示すように衣服４９を着用した状態であっても、薬剤層２２を外部に露出させずに患部へ挿入して、挿入途中で衣服４９に薬剤層２２を貼着することなく所望の部位に配置した後、保護シート２４を剥離して薬剤層２２を患部表面に臨んで露出させ、容易にかつ正確に患部に貼り付けることができる。また、衣服を着用したまま貼り付けることができるので、どのような部位に貼り付ける場合であっても外用貼付剤２０の使用者のプライバシーを守ることができる。
【００７３】
図５は、本発明の他の実施形態である外用貼付剤５０の斜視図である。なお、本実施形態における外用貼付剤５０は、第１の実施形態に係る外用貼付剤２０と略同一に構成されているので、外用貼付剤５０において外用貼付剤２０と対応する部分についてはそれぞれ同一の参照符を付し、重複する説明を省略する場合がある。また外用貼付剤５０において同一の構成が複数ある場合には、対応する部分の参照符号として同一の数字に添字ａ，ｂまたはｃ，ｄを付す。
【００７４】
外用貼付剤５０は、基布２１と、基布２１の一表面２１ａに塗布される薬剤層２２と、薬剤層２２に剥離可能に貼着される一対の剥離シート２３ａ，２３ｂとを含む。各剥離シート２３ａ，２３ｂは、前記薬剤層２２の一表面２２ａの長辺方向Ｘ中央部から前記長辺方向Ｘ両端部にわたる貼着側表面２２ａａ，２２ａｂに貼着される。外用貼付剤５０においては、基布２１の長辺方向Ｘ中央部から各剥離シート２３ａ，２３ｂの長辺方向Ｘの端部までの距離Ｎ１，Ｎ２は等しく形成される。
【００７５】
外用貼付剤５０は、手指で基布２１を身体２７の方向に押圧して、各第３シート部分３０ｃ，３０ｄと第６シート部分４２ｃ，４２ｄとをそれぞれ長辺方向Ｘに沿う剥離方向Ａ１、Ａ２に引っ張ることによって各剥離シート２３ａ，２３ｂを剥離して、貼着側表面２２ａａ，２２ａｂの各領域を個別に露出させ身体２７の貼付面３９に貼り付けることができる。
【００７６】
このように１枚の基布２１の一表面２１ａに塗布される薬剤層２２に対して、２枚の剥離シート２３ａ，２３ｂによって貼着側表面２２ａａ，２２ａｂを保護する構成とすることによって、身体２７の貼付面３９が幅ｂに対して２〜５倍の長さａ（ａ＝２・ｂ〜５・ｂ）を有する一方向に細長い領域であっても、各剥離シート２３ａ，２３ｂを片側ずつ剥離することができるので、一方の剥離シート２３ａを剥離して身体２７に貼り付けして外用貼付剤５０を位置決めした後、他方の剥離シート２３ｂを剥離して身体２７に貼り付けることができる。したがって、貼付面３９が一方向に細長い領域であっても容易かつ確実に外用貼付剤５０を身体２７の任意の位置に貼り付けることができる。
【００７７】
また、剥離シート２３が剥離シート２３ａ，２３ｂに分割された構成であるので、各剥離シート２３ａ，２３ｂを薬剤層２２の貼着側表面２２ａａ，２２ａｂから剥離するために手を移動させる距離を短くすることができる。したがって、使用者は本人にとって負担となる姿勢をとることなく外用貼付剤５０を身体の所望の部位に貼り付けることができる。
【００７８】
また外用貼付剤５０には、指挿入孔３６が短辺方向Ｙに沿って２つ形成される。このように指挿入孔３６が２つ形成されるので、剥離方向Ａ１およびＡ２に引っ張った場合であっても、第３シート部分３０ｃ，３０ｄおよび第６シート部分４２ｃ，４２ｄが短辺方向Ｙにおいて中央に寄ってしわになることを防ぐことができる。したがって、不所望に薬剤層２２同士が貼着したり、衣服に薬剤層２２が貼着することを防ぐことができる。
【００７９】
本実施形態において、基布２１の長辺方向Ｘ中央部から各剥離シート２３ａ，２３ｂの長辺方向Ｘの端部までの距離Ｎ１，Ｎ２は等しく（Ｎ１：Ｎ２＝１：１）形成されるが、距離Ｎ１およびＮ２の長さの比はこれに限らず、外用貼付剤５０の用途や形状によって適宜変更して形成することができ、たとえばＮ１：Ｎ２＝１：２でもよく、Ｎ１：Ｎ２＝１：５であってもよい。
【００８０】
また、本実施形態において、各剥離シート２３ａ，２３ｂの剥離方向Ａ１，Ａ２は長辺方向Ｘに沿った方向となっているが、剥離方向Ａ１，Ａ２はこれに限らず、剥離方向Ａ１，Ａ２の一方を長辺方向Ｘに沿う方向とし、他方を短辺方向Ｙに沿う方向としてもよい。また剥離方向Ａ１，Ａ２を共に短辺方向Ｙに沿う方向としてもよい。
【００８１】
図６は、本発明の他の実施形態である外用貼付剤６０の斜視図である。なお、本実施形態における外用貼付剤６０は、第１の実施形態に係る外用貼付剤２０と略同一に構成されているので、対応する部分についてはそれぞれ同一の参照符を付し、重複する説明を省略する場合がある。
【００８２】
図６に示すように、外用貼付剤６０は基布２１の他表面２１ｂ上に滑り止めテープ６１を有して形成される。滑り止めテープ６１は、紙や布等の一表面に粘着剤層が形成された粘着テープである。滑り止めテープ６１は、基布２１の一端面３３寄りの位置に形成される。滑り止めテープ６１が設けられることによって、薬剤層２２から保護シート２４を剥離する際に、滑り止めテープ６１に手指を引掛けつつ押圧することができるので、手指と基布２１との間に生じる摩擦力を増加させることができる。したがって、薬剤層２２から保護シート２４を剥離する際に、外用貼付剤６０を剥離方向Ａに引っ張ることによって、外用貼付剤６０の使用者が所望の部位に貼り損ねることを防ぐことができる。
【００８３】
また滑り止めテープ６１には、通気孔６２が複数形成される。通気孔６２が形成されることによって、滑り止めテープ６１を設けたことによる外用貼付剤６０の通気性の悪化を防ぐことができる。また通気孔６２が形成されることによって、滑り止めテープ６１と手指との間に生じる摩擦力を増加させることができるので、より外用貼付剤６０を所望の部位に貼り損ねることを防ぐことができる。
【００８４】
本実施形態において滑り止めテープ６１は、基布２１の他表面２１ｂの一部のみに形成されるが、他表面２１ｂの全面にわたって形成されてもよい。このように滑り止めテープ６１を設けることによって、基布２１のどの部分を手指で押圧したとしても、外用貼付剤６０を所望の部位に貼り損ねることを防ぐことができる。
【００８５】
図７は、本発明の他の実施形態である外用貼付剤７０の斜視図である。なお、本実施形態における外用貼付剤７０は、第１の実施形態に係る外用貼付剤２０と略同一に構成されているので、対応する部分についてはそれぞれ同一の参照符を付し、重複する説明を省略する場合がある。
【００８６】
図７に示すように、外用貼付剤７０は基布２１の他表面２１ｂ上に滑り止め部材６３が形成される。滑り止め部材６３は、樹脂等を他表面２１ｂ上に塗布し、基布２１の一表面２１ａから他表面２１ｂの方向に樹脂等が突出するように形成される。滑り止め部材６３は外用貼付剤７０を他表面２１ｂ側から見た場合に、線状に形成されても点状に形成されてもよく、線状と点状とを組み合せて幾何学的模様に形成されていてもよい。また滑り止め部材６３は、他表面２１ｂの一部のみに形成されてもよく、全面にわたって形成されてもよい。
【００８７】
滑り止めテープ６１や滑り止め部材６３が他表面２１ｂ上の一部に設けられることによって、手指で触れることで外用貼付剤７０の向きや位置を把握することができる。したがって、背部のように視覚で直接認識することのできない位置に外用貼付剤７０を貼り付ける場合であっても、使用者が任意の部位に正確に貼ることができる。また、手指で触れることで外用貼付剤７０の向きや位置を把握することができるので、外用貼付剤７０の使用者が目の不自由な人であっても容易に所望の部位に外用貼付剤７０を貼り付けることができる。
【００８８】
また滑り止めテープ６１および滑り止め部材６３には、基布２１と異なる彩色を施してもよい。このようにすることによって、どの位置に滑り止めテープ６１または滑り止め部材６３があるのかを視覚を通じて容易に認識することができる。
【００８９】
図８は、本発明の他の実施形態であり、粘着テープＡと粘着テープＢによる基布と剥離シートとの粘着部の図示が省略された外用貼付剤８０の断面図である。本実施形態における外用貼付剤８０は、第１の実施形態に係る外用貼付剤２０と略同一に構成されているので、対応する部分についてはそれぞれ同一の参照符を付し、重複する説明を省略する場合がある。
【００９０】
本実施形態の外用貼付剤８０は、基布２１と、基布２１の一表面２１ａに塗布される薬剤層２２と、薬剤層２２に剥離可能に貼着される剥離シート２３と、引手材８１とを含み、剥離シート２３は薬剤層２２の外部に露出する一表面２２ａに貼着される保護シート２４と、補助シート２５とを含む。
【００９１】
引手材８１は、プラスチックから成る矩形の板状部材であり、その一側縁部８１ａにおいて、保護シート２４の第２シート部分２９の反転部３１の他側縁部３１ｂと補助シート２５の第５シート部分４１の反転部４３の他側縁部４３ｂと接合される。また、引手材８１の他側縁部８１ｂは、基布２１の他端面３４から突出して形成される。このように引手材８１を設けることによって、引手材８１の他端面３４から突出する部分を剥離方向Ａに引っ張ることによって、保護シート２４を薬剤層２２から剥離することができる。また、引手材８１には、保護シート２４と補助シート２５とを接合したものよりも、厚みがあり強度の高いプラスチック板を用いることができるので、剥離方向Ａに引っ張った際に保護シート２４および補助シート２５が指挿入孔３６から破れてしまうことを防ぐことができる。
【００９２】
本実施形態では、引手材８１の材質としてプラスチックを用いているが、引手材８１の材質はこれに限定されず紙や布等を用いることもできる。また本実施形態では、補助シート２５を設けているが、補助シート２５を設けず、引手材８１の基布２１側の一表面８２と反対の他表面８３が身体２７に直接接触するようにしてもよい。
【００９３】
図９は、本発明の他の実施形態であり、粘着テープＡと粘着テープＢによる基布と剥離シートとの粘着部の図示が省略された外用貼付剤９０の断面図である。また、本実施形態における外用貼付剤９０は、第１の実施形態に係る外用貼付剤２０と略同一に構成されているので、対応する部分についてはそれぞれ同一の参照符を付し、重複する説明を省略する場合がある。
【００９４】
本実施形態の外用貼付剤９０は、基布２１と、基布２１の一表面２１ａに塗布される薬剤層２２と、薬剤層２２に剥離可能に貼着される剥離シート２３と、基布側引手材９１と、身体側引手材９２とを含み、剥離シート２３は薬剤層２２の外部に露出する一表面２２ａに貼着される保護シート２４と、補助シート２５とを含む。
【００９５】
２つの引手材９１，９２は、プラスチックから成る矩形の板状部材である。本実施形態において、保護シート２４の第２シート部分２９の反転部３１の他側縁部３１ｂと、補助シート２５の第５シート部分４１の反転部４３の他側縁部４３ｂとは、基布側引手材９１と身体側引手材９２との間に挟まれて形成される。また、基布側引手材９１と身体側引手材９２とは、保護シート２４の第２シート部分２９の反転部３１の他側縁部３１ｂと補助シート２５の第５シート部分４１の反転部４３の他側縁部４３ｂとを両引手材９１，９２の間に挟み込んだ状態で接合される。
【００９６】
両引手材９１，９２の他側縁部９１ｂ，９２ｂは、基布２１の他端面３４から突出して形成される。このように両引手材９１，９２を設けることで、両引手材９１，９２を剥離方向Ａに引っ張ることによって、保護シート２４を薬剤層２２から剥離することができる。また、両引手材９１，９２には、保護シート２４と補助シート２５とを接合したものよりも、厚みのあるプラスチック板を用いることができるので、剥離方向Ａに引っ張った際に保護シート２４および補助シート２５が指挿入孔３６から破れてしまうことを防ぐことができる。
【００９７】
図１０Ａ〜図１０Ｆは、本発明における外用貼付剤の形状を表す平面図である。外用貼付剤２０，５０，６０，７０，８０，９０の形状は、図１０Ａ〜図１０Ｆに示すように、長辺方向Ｘにおいて基布２１の一端面３３側と他端面３４側との中間部から、基布２１の一端面３３側に向かうにつれて先細状となるように形成してもよい。
【００９８】
このような形状とすることによって、薬剤層２２から保護シート２４を剥離する際の剥離開始時における、剥離しなければならない保護シート２４の面積を小さくすることができる。したがって、薬剤層２２から保護シート２４を剥離し始めるのに必要な力を低減することができるので、小さな引張り力で薬剤層２２から保護シート２４を剥離することができる。
【００９９】
長辺方向Ｘにおいて基布２１の一端面３３側と他端面３４側との中間部から、基布２１の一端面３３側に向かうにつれて先細状となるような形状として、たとえばハート形を挙げることができる。このように容易に保護シート２４を薬剤層２２から剥離することができ、かつ意匠上の美観が向上され、いわばお洒落な形状とすることによって、各外用貼付剤２０，５０，６０，７０，８０，９０を貼り付けることに抵抗のある女性であっても好適に用いることができる外用貼付剤を提供することができる。
【０１００】
基布２１に硬化剤を噴霧、含浸、塗布等することによって、薬剤層２２から保護シート２４を剥離する際に、保護シート２４を剥離しようとする力に基布２１が引っ張られ、変形することを防ぐことができる。これによって、薬剤層２２から保護シート２４を剥離する際に、基布２１が変形し、薬剤層２２同士が貼り付くことを防ぐことができる。硬化剤は、基布２１の全面に噴霧、含浸、塗布等されていてもよく、長辺方向Ｘにおける基布２１の中央部から一端面３３側の位置のみに噴霧、含浸、塗布等されていてもよい。
【０１０１】
図１１Ａ〜図１１Ｃは、本発明の他の実施形態である外用貼付剤１００の斜視図である。本実施形態における外用貼付剤１００は、第１の実施形態に係る外用貼付剤２０と略同一に構成されているので、対応する部分についてはそれぞれ同一の参照符を付し、重複する説明を省略する場合がある。
【０１０２】
図１１Ａに示すように、外用貼付剤１００では、基布２１の他端面３４から突出して形成される剥離シート２３は、基布２１の他表面２１ｂ上に反転して折り返される。より具体的には、基布２１の他端面３４から突出して形成される保護シート２４の第３シート部分３０および補助シート２５の第６シート部分４２は、基布２１の他表面２１ｂ上に反転して折り返される。この状態では、保護シート２４の第３シート部分３０が基布２１の他表面２１ｂに対向し、補助シート２５の第６シート部分４２は、外方に臨んで露出している。基布２１の一端面３３寄りの剥離シート２３の端縁部１０１と、基布２１の他表面２１ｂのうち外方に露出する表面とにわたって、補助テープ１０２が粘着される。補助テープ１０２は、その一表面に粘着層を有する粘着テープである。本実施形態では、補助テープ１０２によって、基布２１と剥離シート２３とが留められているが、接着剤を用いて接着してもよい。
【０１０３】
このように形成することによって、外用貼付剤１００の長辺方向Ｘの長さを短くすることができるので、手が比較的小さな人であっても外用貼付剤１００を持ちやすくすることができる。したがって、所望の貼付け部位に外用貼付剤１００を移動させる際に、手から落としたりすることを防ぐことができ、操作性が向上する。また、外用貼付剤１００の長辺方向Ｘの長さを短くすることができるので、外用貼付剤１００を袋などで梱包する際の梱包性も向上することができる。
【０１０４】
図１１Ｂは、補助テープ１０２に換えて、非粘着部分を有する粘着テープ１０３が、剥離シート２３の端縁部１０１と基布２１の他表面２１ｂのうち外方に露出する表面とにわたって粘着された状態を示す斜視図である。粘着テープ１０３は、粘着剤が塗布されていない非粘着性の把持部１０３ａと粘着剤が塗布されている粘着部１０３ｂとを有する。粘着テープ１０３は、粘着部１０３ｂが、基布２１の一端面３３寄りの剥離シート２３の端縁部１０１と基布２１の他表面２１ｂのうち外方に露出する表面とにわたって粘着され、把持部１０３ａが、基布２１の一端面３３から他端面３４に折り返されて形成される。
【０１０５】
このように形成されることによって、把持部１０３ａを手指で把持して、基布２１の一端面３３から他端面３４に向かって引っ張ることによって、粘着部１０３ｂの一部が基布２１の他表面２１ｂから剥離し、粘着部１０３ｂの残余の部分が剥離シート２３に粘着した状態で剥離シート２３を基布２１の他表面２１ｂ上に積重された状態から、他表面２１ｂに対して離反した展開状態に反転させ、貼付け可能な状態にすることができる。
【０１０６】
また、剥離シート２３を基布２１の他表面２１ｂ上に積重された状態から展開状態にする際に、把持部１０３ａを引張る方向は、剥離シート２３を薬剤層２２から剥離する剥離方向Ａと共通するので、把持部１０３ａを剥離方向Ａに引張るだけで、薬剤層２２から剥離シート２３を剥離し、任意の患部に貼付けることができる。
【０１０７】
図１１Ｃは、外用貼付剤１００の基布２１の他端面３４から突出して形成される剥離シート２３が、基布２１の他表面２１ｂ上に反転して折り返され、さらに基布２１の一端面３３から他端面３４に折り返された状態を示す斜視図である。より具体的には、まず基布２１の他端面３４から突出して形成される保護シート２４の第３シート部分３０および補助シート２５の第６シート部分４２は、基布２１の他表面２１ｂ上に反転して折り返される。そして、基布２１上に折り返された剥離シート２３は、さらに基布２１の一端面３３から他端面３４に向かって折り返される。この状態では、保護シート２４の第３シート部分３０の一部が基布２１の他表面２１ｂに対向し、保護シート２４の第３シート部分３０の残余の部分が外方に臨んで露出している。
【０１０８】
本実施形態では、基布２１の他端面３４から突出して形成される剥離シート２３が、基布２１の他表面２１ｂに対して接着剤によって接着されているが、接着方法はこれに限らず、たとえば、基布２１の一端面３３寄りの剥離シート２３の反転部１０４と、基布２１の他表面２１ｂのうち外方に露出する表面とにわたって、補助テープが粘着されてもよい。
【０１０９】
このように形成することにより、剥離シート２３が、基布２１の他端面３４から突出して形成される部分の長さＬ２が長い場合であっても、外用貼付剤１００の長辺方向Ｘの長さを短くすることができるので、手が比較的小さな人であっても外用貼付剤１００を持ちやすくすることができる。したがって、所望の貼付け部位に外用貼付剤１００を移動させる際に、手から落としたりすることを防ぐことができ、操作性が向上する。また、外用貼付剤１００の長辺方向Ｘの長さを短くすることができるので、外用貼付剤１００を袋などで梱包する際の梱包性も向上することができる。
【０１１０】
図１１Ｃに示す外用貼付剤１００では、基布２１の他表面２１ｂ上に反転して折り返され、さらに基布２１の一端面３３から他端面３４に向かって折り返された剥離シート２３は、長手方向Ｘにおいて他端面３４から突出しないように形成されているが、たとえば保護シート２４の第３シート部分３０の残余の部分の一部が長手方向Ｘにおいて他端面３４から３〜７ｍｍ程度突出するように形成してもよい。
【０１１１】
このように形成することによって、長手方向Ｘにおいて他端面３４から突出する第３シート部分３０の残余の部分の一部を手指で把持して薬剤層２２から剥離シート２３を剥離できるので、薬剤層２２から剥離シート２３を容易に剥離することができる。
【０１１２】
図１２は、本発明の他の実施形態であり、粘着テープＡと粘着テープＢによる基布と剥離シートとの粘着部の図示が省略された外用貼付剤１１０の断面図である。なお、本実施形態における外用貼付剤１１０は、第１の実施形態に係る外用貼付剤２０と略同一に構成されているので、対応する部分についてはそれぞれ同一の参照符を付し、重複する説明を省略する場合がある。本実施形態において、方向Ｃは長辺方向Ｘに沿う方向であって、基布２１の一端面３３から他端面３４に向かう方向とする。また、方向Ｃは剥離方向Ａに沿う方向となることもある。
【０１１３】
本実施形態の外用貼付剤１１０は、基布２１と、基布２１の一表面２１ａに塗布される薬剤層２２と、薬剤層２２に剥離可能に貼着される保護シート２４とを含み、保護シート２４は、薬剤層２２の貼着側表面２２ａに貼着される第１シート部分２８と、第１シート部分２８の一側縁部２８ａに連なり、第１シート部分２８上に一側縁部２８ａとは反対側の他側縁部２８ｂにわたって積重される第２シート部分２９と、第２シート部分２９の基布２１とは反対側の一表面３７に接合する第３シート部分３０とを含む。
【０１１４】
本実施形態では、基布２１の他端面３４と、第１シート部分２８の端面１３１と、基布２１の他端面３４側の第２シート部分２９の端面１１２とは、厚み方向に平行な仮想一平面上にそろうように形成される。また、第３シート部分３０の長辺方向Ｘにおける両端面のうち、基布２１の一端面３３側の端面である一端面１１３は、基布２１の一端面３３と厚み方向に平行な仮想一平面上にそろうように形成される。また、第３シート部分３０の長辺方向Ｘにおける両端面のうち、基布２１の他端面３４側の端面である他端面１１４を含む第３シート部分３０の一部は、長辺方向Ｘにおいて剥離方向Ａに沿う方向Ｃに向かって基布２１の他端面３４から突出するように形成される。長辺方向Ｘにおいて、基布２１の他端面３４から第３シート部分の他端面１１４までの距離Ｌ８は、たとえば４０ｍｍ〜１００ｍｍに形成され、本実施形態では６０ｍｍに形成される。また、外用貼付剤２０と同様に、第３シート部分３０には、指掛け部３５が設けられてもよい。
【０１１５】
第１シート部分２８の他表面１３３と第２シート部分２９の他表面１３４との間には粘着性を有する粘着剤からなる粘着剤層１１７が形成される。粘着剤層１１７は、長辺方向Ｘにおいて、第１シート部分２８の端面１３１および第２シート部分の端面１１２から、方向Ｂに向かって所定の距離Ｌ５の範囲に形成される。距離Ｌ５は、３ｍｍ〜１０ｍｍの範囲内がよく、本実施形態では６ｍｍに選ばれる。厚み方向における粘着剤層１１７の厚みＴ６は、特に限定されることはないが、たとえば厚みＴ６は、０．０１ｍｍ〜０．４ｍｍの範囲内がよく、本実施形態では、厚みＴ６が０．１ｍｍに形成される。粘着剤層１１７は、第１シート部分２８の他表面１３３または第２シート部分２９の他表面１３４のいずれの表面に塗布されていてもよいが、保護シート２４を薬剤層２２から剥離する際の剥離の容易性および確実性の観点から第２シート部分２９の他表面１３４に塗布されるほうが好ましい。
【０１１６】
第３シート部分３０は、第３シート部分３０の表面のうち、基布２１側の他表面１１８において第２シート部分２９の一表面３７と接合される。第３シート部分３０の他表面１１８と第２シート部分２９の一表面３７との間には、接着剤からなる接合剤層１１９が形成され、両表面３７，１１８は接着剤によって接合される。接着剤としては、前記接合剤層２６に用いられる接着剤と同様に、公知のあらゆる接着剤を用いることができる。
【０１１７】
接合剤層１１９は、長辺方向Ｘにおいて、第３シート部分３０の一端面１１３から、方向Ｃに向かって所定の距離Ｌ６の範囲に形成され、本実施形態では１２９ｍｍに選ばれる。厚み方向における接合剤層１１９の厚みＴ７は、特に限定されることはないが、たとえば厚みＴ７は、０．０１ｍｍ〜０．４ｍｍの範囲内がよく、本実施形態では、厚みＴ７が０．１ｍｍに形成される。また、長辺方向Ｘにおける基布２１の一端面３３側の粘着剤層１１７の端面１１７ａと、長辺方向Ｘにおける基布２１の他端面３４側の接合剤層１１９の端面１１９ａとは、長辺方向Ｘにおいて所定の距離Ｌ７離間して形成される。距離Ｌ７は、１ｍｍ〜１０ｍｍの範囲内がよく、本実施形態では５ｍｍに形成される。
【０１１８】
第１シート部分２８と第２シート部分２９とが粘着剤からなる粘着剤層１１７によって粘着されているので、外用貼付剤１１０を身体２７に貼付する際に、基布２１の他表面２１ｂに手指を接触させて押圧した状態で、身体２７上で外用貼付剤１１０の貼付位置の調整を行った場合であっても、第１シート部分２８と第２シート部分２９とが不所望にずれるのを防ぐことができる。したがって、身体２７上で外用貼付剤１１０の位置を変更することができるので、外用貼付剤１１０を身体の所望の位置に正確に貼り付けることができる。
【０１１９】
また、第２シート部分２９と第３シート部分３０とが接合剤からなる接合剤層１１９によって接合されているので、第３シート部分３０を剥離方向Ａに引っ張った際に生じる引張り力Ｆ２を確実に第２シート部分２９に伝えることができ、第１シート部分２８を薬剤層２２から剥離する方向に引張り力Ｆ２の分力を確実に発生させることができる。また、第３シート部分３０の他端面１１４を含む第３シート部分３０の一部は、剥離方向Ａに沿う方向Ｃに向かって基布２１の他端面３４から突出するように形成されているので、身体２７のいずれの部位に外用貼付剤１１０を貼り付ける場合であっても、容易に第３シート部分３０を手指で把持して、剥離方向Ａに引っ張ることができる。
【０１２０】
このように薬剤層２２から保護シート２４を剥離することができるので、基布２１の他表面２１ｂを手指で身体２７に対して押圧し、押圧力Ｆ１を加えた状態であっても、保護シート２４を剥離することができる。これによって、外用貼付剤１１０を薬剤層２２が露出していない状態で身体２７に押し付けても、第３シート部分３０を引っ張ることで、薬剤層２２を露出させ、身体２７に貼付することができる。したがって、外用貼付剤１１０を患部に移動させる途中で、薬剤層２２同士が貼着したり、衣服に貼着することを防ぐことができ、外用貼付剤１１０の使用者本人が所望の部位に容易に貼り付けることができる。
【０１２１】
また、粘着剤層１１７は、長辺方向Ｘにおいて、第１シート部分２８の端面１３１および第２シート部分の端面１１２から、方向Ｂに向かって所定の距離Ｌ５の範囲に形成され、接合剤層１１９は、第３シート部分３０の一端面１１３から、長辺方向Ｘにおいて方向Ｃに向かって所定の距離Ｌ６の範囲に形成され、粘着剤層１１７の端面１１７ａと接合剤層１１９の端面１１９ａとは、所定の距離Ｌ７離間して形成されるので、引張り力Ｆ２を第１シート部分２８の他側縁部２８ｂ側ではなく、一側縁部２８ａ側に確実に伝えることができ、第１シート部分２８の一側縁部２８ａに薬剤層２２から剥離する方向に引張り力Ｆ２の分力を確実に作用させることができる。したがって、薬剤層２２から第１シート部分２８を剥離する際に、第１シート部分２８の他側縁部２８ｂ側から、第１シート部分２８が剥離するのを防ぐことができる。
【０１２２】
また、保護シート２４を薬剤層２２から剥離する際に手指で把持し易いように、基布２１の他端面３４から突出して形成される第３シート部分３０が、基布２１、薬剤層２２および第１シート部分２８とは反対側の表面である第２シート部分２９の一表面３７に接合して形成される。したがって、外用貼付剤１１０を製造する際には、基布２１、薬剤層２２、第１シート部分２８、第２シート部分２９が形成された後に、第３シート部分３０を第２シート部分２９に接合することができるので、長辺方向Ｘにおいて基布２１から突出する部分を有しているにもかかわらず製造を行いやすい。
【０１２３】
粘着剤層１１７には、粘着剤に代えて両面粘着テープを用いてもよい。また、粘着剤層１１７を形成する代わりに、第１シート部分２８の他表面１３３と第２シート部分２９の他表面１３４とを溶着してもよい。また、接合剤層１１９は、接着剤からなるものに限らず、両面に粘着剤層を有する両面粘着テープを用いて形成してもよい。また、本実施形態の第３シート部分３０の材質としては、薄く成型されたプラスチックフィルム以外でもよく、たとえば吸液性を有する紙や布等であってもよい。
【０１２４】
本実施形態では、接合剤層１１９は、第３シート部分３０の一端面１１３から方向Ｃに向かって所定の距離Ｌ６の範囲に形成されているが、このような形態には限られず、接合剤層１１９は、第３シート部分３０の他表面１１８と第２シート部分２９の一表面３７とが対向する部分のうち、前記距離Ｌ５および距離Ｌ７を除いた全部分に形成されていればよい。たとえば、第３シート部分３０の一端面１１３が、基布２１の一端面３３と厚み方向に平行な仮想一平面上にそろわず、第３シート部分３０の一端面１１３が基布２１の一端面３３から方向Ｃに向かって所定の距離だけ離反した位置にある場合であれば、第３シート部分３０の他表面１１８と第２シート部分２９の一表面３７とが対向する部分のうち、粘着剤層１１７の端面１１７ａから長手方向Ｘにおいて方向Ｂに所定の距離Ｌ７離間した部分から第３シート部分３０の一端面１１３までの全部分に接合剤層１１９が形成されていればよい。
【０１２５】
図１３は、本発明の他の実施形態であり、粘着テープＡと粘着テープＢによる基布と第３シート部分との粘着部の図示が省略された外用貼付剤１２０の断面図である。なお、本実施形態における外用貼付剤１２０は、第１の実施形態に係る外用貼付剤２０および他の実施形態に係る外用貼付剤１１０と略同一に構成されているので、対応する部分についてはそれぞれ同一の参照符を付し、重複する説明を省略する場合がある。本実施形態において、方向Ｃは長辺方向Ｘに沿う方向であって、基布２１の一端面３３から他端面３４に向かう方向とする。また、方向Ｃは剥離方向Ａに沿う方向となることもある。
【０１２６】
本実施形態の外用貼付剤１２０は、基布２１と、基布２１の一表面２１ａに塗布される薬剤層２２と、薬剤層２２に剥離可能に貼着される保護シート２４と補助シート２５とを含む。補助シート２５以外の構成は、外用貼付剤１１０と同様に構成される。
【０１２７】
補助シート２５は、身体２７の貼付面３９に当接する第４シート部分４０と第４シート部分４０の一側縁部４０ａに連なり、第４シート部分４０上に前記一側縁部４０ａとは反対側の他側縁部４０ｂにわたって積重される第５シート部分４１を含み、第５シート部分４１は第３シート部分３０に接合される。
【０１２８】
本実施形態では、基布２１の他端面３４と、第１シート部分２８の端面１３１と、第２シート部分２９の基布２１の他端面３４側の端面１１２と、第４シート部分４０の基布２１の他端面３４側の端面１２１と基布２１の他端面３４側の第５シート部分４１の端面１２２とは、厚み方向に平行な仮想一平面上にそろうように形成される。
【０１２９】
第４シート部分４０の基布２１側の表面である一表面１２３ａと第５シート部分４１の一表面４５とは厚み方向反対側の他表面１２４との間には粘着性を有する粘着剤からなる粘着剤層１２５が形成される。第５シート部分４１の他表面１２４は、厚み方向における第４シート部分４０側の表面であり、第５シート部分４１の一表面４５は、厚み方向における基布２１側の表面である。厚み方向において、第４シート部分４０の一表面１２３ａとは反対側の表面１２３ｂは、身体２７の貼付面３９に当接する表面である。
【０１３０】
粘着剤層１２５は、長辺方向Ｘにおいて、第４シート部分４０の端面１２１および第５シート部分４１の端面１２２から、方向Ｂに向かって所定の距離Ｌ９の範囲に形成される。距離Ｌ９は、３ｍｍ〜１０ｍｍの範囲であればよく、本実施形態ではＬ５と同じ距離に形成される。厚み方向における粘着剤層１２５の厚みＴ８は、特に限定されることはないが、たとえば厚みＴ８は、０．０１ｍｍ〜０．４ｍｍの範囲内がよく、本実施形態では、粘着剤層１１７の厚みＴ６と同じ厚みに形成される。粘着剤層１２５は、第４シート部分４０の一表面１２３ａまたは第５シート部分４１の他表面１２４のいずれの表面に塗布されていてもよいが、補助シート２５を身体２７の貼付面３９から剥離する際の剥離の容易性および確実性の観点から第５シート部分４１の他表面１２４に塗布されるほうが好ましい。
【０１３１】
第５シート部分４１は、第５シート部分４１の一表面４５において第３シート部分３０の一表面３８と接合される。第３シート部分の一表面３８は、厚み方向において基布２１と反対側の表面である。第５シート部分４１の一表面４５と第３シート部分３０の一表面３８との間には、接着剤からなる接合剤層１２６が形成され、両表面３８，４５は接着剤によって接合される。接着剤としては、前記接合剤層１１９に用いられる接着剤と同様に、公知のあらゆる接着剤を用いることができる。
【０１３２】
接合剤層１２６は、長辺方向Ｘにおいて、第３シート部分３０の一端面１１３から、長辺方向Ｘに沿う方向Ｃに向かって所定の距離Ｌ１０の範囲に形成され、本実施形態では１２９ｍｍ、すなわち距離Ｌ６と同じ距離に形成される。厚み方向における接合剤層１２６の厚みＴ９は、特に限定されることはないが、たとえば厚みＴ９は、０．０１ｍｍ〜０．４ｍｍの範囲内がよく、本実施形態では、厚みＴ９が接合剤層１１９の厚みＴ７と同じ厚みに形成される。また、長辺方向Ｘにおける基布２１の一端面３３側の粘着剤層１２５の端面１２５ａと、長辺方向Ｘにおける基布２１の他端面３４側の接合剤層１２６の端面１２６ａとは、長辺方向Ｘにおいて所定の距離Ｌ１１離間して形成される。距離Ｌ１１は、１ｍｍ〜１０ｍｍの範囲内がよく、本実施形態ではＬ７と同じ距離に形成される。
【０１３３】
本実施形態では、接合剤層１２６は、第３シート部分３０の一端面１１３から方向Ｃに向かって所定の距離Ｌ１０の範囲に形成されているが、このような形態には限られず、接合剤層１２６は、第３シート部分３０の一表面３８と第５シート部分４１の一表面４５とが対向する部分のうち、前記距離Ｌ９および距離Ｌ１１を除いた全部分に形成されていればよい。たとえば、第３シート部分３０の一端面１１３が、基布２１の一端面３３と厚み方向に平行な仮想一平面上にそろわず、第３シート部分３０の一端面１１３が基布２１の一端面３３から方向Ｃに向かって所定の距離だけ離反した位置にある場合であれば、第３シート部分３０の一表面３８と第５シート部分４１の一表面４５とが対向する部分のうち、粘着剤層１２５の端面１２５ａから長手方向Ｘにおいて方向Ｂに所定の距離Ｌ１１離間した部分から第３シート部分３０の一端面１１３までの全部分に接合剤層１２６が形成されていればよい。
【０１３４】
このように、本実施形態では補助シート２５と保護シート２４の第１シート部分２８および第２シート部分２９とは、第３シート部分３０を基準として、対称に形成される。このように形成されることによって、第３シート部分３０を手指で把持して剥離方向Ａに引っ張ることで、補助シート２５を身体２７の貼付面３９から剥離するとともに保護シート２４の第１シート部分２８を薬剤層２２から剥離することができる。
【０１３５】
また、このように形成することによって、第３シート部３０を手指で把持し、剥離方向Ａに向かって引っ張った場合に、補助シート２５および保護シート２４の第１シート部分２８と第２シート部分２９とをほぼ均しい移動速度で剥離方向Ａに向かって移動させることができ、補助シート２５が先に剥離される、または保護シート２４の第１シート部分２８のみが先に剥離されるといったことを防ぐことができる。通常、補助シート２５が先に剥離される、または保護シート２４の第１シート部分２８が先に剥離された場合には、薬剤層２２が補助シート２５や、身体２７の不所望の部位に貼り付いてしまう。したがって、このように形成することによって、外用貼付剤１２０を貼付する際に、薬剤層２２が補助シート２５に貼り付いたり、身体２７の不所望の部位に貼り付いたりするのを防ぐことができる。
【０１３６】
本実施形態では、補助シート２５と保護シート２４の第１シート部分２８および第２シート部分２９とは、第３シート部分３０を基準として、対称に形成されることによって、外用貼付剤１２０を貼付する際に、薬剤層２２が補助シート２５に貼り付いたり、身体２７の不所望の部位に貼り付いたりするのを防ぐことができるが、このような形態に限らず、たとえば補助シート２５の反転部４３が保護シート２４の反転部３１よりも基布２１の一端面３３から突出しないように形成することによって同様の効果を達成することができる。
【０１３７】
また、身体２７の貼付面３９に当接する補助シート２５を含んで構成されるので、外用貼付剤１２０の使用者が発汗している場合や、使用者が脂性の場合であっても、保護シート２５が汗等によって肌に密着し、剥離しにくくなることを防ぐことができる。したがって、季節や体質などを問わず、常に外用貼付剤１２０の使用者が所望の貼付け部位に自分で容易に貼り付けることができる。
【０１３８】
本発明は、その精神または主要な特徴から逸脱することなく、他のいろいろな形態で実施できる。したがって、前述の実施形態はあらゆる点で単なる例示に過ぎず、本発明の範囲は特許請求の範囲に示すものであって、明細書本文には何ら拘束されない。さらに、特許請求の範囲に属する変形や変更は全て本発明の範囲内のものである。
【符号の説明】
【０１３９】
２０ 外用貼付剤
２１ 基布
２２ 薬剤層
２３ 剥離シート
２４ 保護シート
２５ 補助シート
２６ 接合剤層
２７ 身体
２８ 第１シート部分
２９ 第２シート部分
３０ 第３シート部分
【図１】
0005485424.tif 000002
【図２】
0005485424.tif 000003
【図３】
0005485424.tif 000004
【図４Ａ】
0005485424.tif 000005
【図４Ｂ】
0005485424.tif 000006
【図５】
0005485424.tif 000007
【図６】
0005485424.tif 000008
【図７】
0005485424.tif 000009
【図８】
0005485424.tif 000010
【図９】
0005485424.tif 000011
【図１０Ａ】
0005485424.tif 000012
【図１０Ｂ】
0005485424.tif 000013
【図１０Ｃ】
0005485424.tif 000014
【図１０Ｄ】
0005485424.tif 000015
【図１０Ｅ】
0005485424.tif 000016
【図１０Ｆ】
0005485424.tif 000017
【図１１Ａ】
0005485424.tif 000018
【図１１Ｂ】
0005485424.tif 000019
【図１１Ｃ】
0005485424.tif 000020
【図１２】
0005485424.tif 000021
【図１３】
0005485424.tif 000022
【図１４Ａ】
0005485424.tif 000023
【図１４Ｂ】
0005485424.tif 000024
【図１５】
0005485424.tif 000025
【図１６Ａ】
0005485424.tif 000026
【図１６Ｂ】
0005485424.tif 000027